(57)【要約】【課題】プラグがコンセントから容易に外れるのを防止するコンセント差込プラグ抜け防止器具を提供する。【解決手段】コンセントボックスのプレート取付孔にビス留めされたリング状部材と、コンセントにプラグを差し込んだケーブルに取り付けられたフック状部材とを備え、リング状部材にフック状部材を引っ掛けられるように構成されているコンセント差込プラグ抜け防止器具（１０）。コンセントボックスのプレート取付孔にビス留めされたフック状部材と、コンセントにプラグを差し込んだケーブルに取り付けられたリング状部材とを備え、フック状部材にリング状部材を引っ掛けられるように構成されているコンセント差込プラグ抜け防止器具（２０）。【選択図】  図１
2012169206.tif 000002
【特許請求の範囲】
【請求項１】
コンセント差込プラグ抜け防止器具であって、
コンセントボックスのプレート取付孔にビスで取り付けられたリング状部材と、
コンセントにプラグを差し込んだケーブルの所定個所に取り付けられたフック状部材とを備え、
前記リング状部材に前記フック状部材を引っ掛けられるように構成されていることを特徴とする器具。
【請求項２】
前記リング状部材が、リングと、前記リングの１個所に配置されたビス用孔付き取付片とを有していることを特徴とする請求項１に記載された器具。
【請求項３】
前記フック状部材が、フックと、前記フックをケーブルに取り付けるための取付片とを有していることを特徴とする請求項１又は２に記載された器具。
【請求項４】
コンセント差込プラグ抜け防止器具であって、
コンセントボックスのプレート取付孔にビスで取り付けられたフック状部材と、
コンセントにプラグを差し込んだケーブルの所定個所に取り付けられたリング状部材とを備え、
前記フック状部材に前記リング状部材を引っ掛けられるように構成されていることを特徴とする器具。
【請求項５】
前記フック状部材が、フックと、前記フックをプレートに取り付けるためのビス用孔付き取付片とを有していることを特徴とする請求項４に記載された器具。
【請求項６】
前記リング状部材が、リングと、前記リングをケーブルに取り付けるための取付片とを有していることを特徴とする請求項４又は５に記載された器具。
【発明の詳細な説明】
【技術分野】
【０００１】
本発明は、コンセント差込プラグが抜けるのを防止するための器具に関する。
【背景技術】
【０００２】
従来、壁付きコンセントにプラグを差し込んだ際、プラグ付きケーブルは、プラグとコンセント穴の摩擦力のみでコンセントに保持するのが通常である。
【０００３】
一方、プラグのコンセントからの抜けを防止するための工夫を凝らした提案もなされている（たとえば、特許文献１、２参照）。
【０００４】
【特許文献１】特許第４４８２２４９号公報
【特許文献２】実開平０５−４５９５１号公報
【発明の開示】
【発明が解決しようとする課題】
【０００５】
摩擦力のみでプラグを保持しようとすると、図９に示されるように、ケーブル自身の重さによってプラグがコンセントから徐々に外れるという不都合がある（これは、特に太いケーブルが使用される業務用ケーブルの場合に顕著である）。また、プラグがコンセントから徐々に外れてプラグとコンセントとの間に隙間が生ずると、隙間に埃等が入り込み易くなるため、漏電や火災などの原因となり得るという課題もある。また、ケーブルに足を引っ掛けるとコンセントからプラグが容易に外れるが、これにより使用している電気機器が故障したり電気機器の動作停止による２次災害が発生するおそれがある。また、ケーブルに足を引っ掛けると、コンセントボックスの差込口の周辺が破損したりプラグが折れ曲がったりする等の不都合が生ずるおそれがある。さらに、ケーブルの自重によりプラグがケーブルによって常時引っ張られているため、プラグとケーブルの接続部分が破断してくるおそれがある。
【０００６】
一方、特許文献１の提案は、構造の複雑な専用の器具を準備しなければならないため、コスト高になるとともに、設置の手間が煩雑である等の不都合があり、特許文献２の提案は、固定用線状部材がプラグに取り付けられているため、後施工ができない等の不都合がある。
【０００７】
本発明は、このような状況に鑑みて案出されたものであって、プラグがコンセントから容易に外れるのを防止するコンセント差込プラグ抜け防止器具を提供することを目的とする。
【課題を解決するための手段】
【０００８】
本願請求項１に記載のコンセント差込プラグ抜け防止器具は、コンセントボックスのプレート取付孔にビスで取り付けられたリング状部材と、コンセントにプラグを差し込んだケーブルの所定個所に取り付けられたフック状部材とを備え、前記リング状部材に前記フック状部材を引っ掛けられるように構成されていることを特徴とするものである。
【０００９】
本願請求項２に記載のコンセント差込プラグ抜け防止器具は、前記請求項１の器具において、前記リング状部材が、リングと、前記リングの１個所に配置されたビス用孔付き取付片とを有していることを特徴とするものである。
【００１０】
本願請求項３に記載のコンセント差込プラグ抜け防止器具は、前記請求項１又は２の器具において、前記フック状部材が、フックと、前記フックをケーブルに取り付けるための取付片とを有していることを特徴とするものである。
【００１１】
本願請求項４に記載のコンセント差込プラグ抜け防止器具は、コンセントボックスのプレート取付孔にビスで取り付けられたフック状部材と、コンセントにプラグを差し込んだケーブルの所定個所に取り付けられたリング状部材とを備え、前記フック状部材に前記リング状部材を引っ掛けられるように構成されていることを特徴とするものである。
【００１２】
本願請求項５に記載のコンセント差込プラグ抜け防止器具は、前記請求項４の器具において、前記フック状部材が、フックと、前記フックをプレートに取り付けるためのビス用孔付き取付片とを有していることを特徴とするものである。
【００１３】
本願請求項６に記載のコンセント差込プラグ抜け防止器具は、前記請求項４又は５の器具において、前記リング状部材が、リングと、前記リングをケーブルに取り付けるための取付片とを有していることを特徴とするものである。
【発明の効果】
【００１４】
本発明のコンセント差込プラグ抜け防止器具を使用することにより、プラグがコンセントから容易に外れるのを防止することができ、これにより漏電、火災、電気機器の故障や動作停止による２次災害の発生、差込口周辺の破損、プラグの損傷などを回避することができる。また、本発明のコンセント差込プラグ抜け防止器具により、ケーブルの自重による過重な引張力がプラグに生じないようにすることができるため、プラグとケーブルとの接続部分が破断するおそれを回避することができる。本発明のコンセント差込プラグ抜け防止器具は、既存のコンセントボックスを利用する簡単な構造のものであるため、製造コストが低廉であり設置も容易であるとともに、故障することも殆どなく、維持管理コストも安価である。
【発明を実施するための最良の形態】
【００１５】
次に、図面を参照して、本発明の第１の実施の形態に係るコンセント差込プラグ抜け防止器具について説明する。図１は、本発明の第１の実施の形態に係るコンセント差込プラグ抜け防止器具の全体を示した斜視図、図２は、図１のコンセント差込プラグ抜け防止器具の各構成要素を分解して示した斜視図である。
【００１６】
図１において全体として参照符号１０で示される第１の実施の形態に係るコンセント差込プラグ抜け防止器具は、コンセントボックスのプレート（化粧板）取付孔にビスで取り付けられたリング状部材１２を備えている。
【００１７】
図３は、リング状部材１２を示した拡大図である。リング状部材１２は、リング１２ａと、リング１２ａの１個所に配置された取付片１２ｂとを有しており、取付片１２ｂには、ビス用の孔１２ｂ１が設けられている（図３（ａ）参照）。取付片付きの円筒体１２′ｂを準備し、所定長さのワイヤ１２′ａの各端を円筒体１２′ｂの各端から円筒体１２′ｂ内に挿入して各端を重ね合わせた状態で円筒体１２′ｂを圧着することによって、リング状部材１２を形成してもよい（図３（ｂ）参照）。
【００１８】
コンセント差込プラグ抜け防止器具１０はまた、ケーブルの所定個所に取り付けられたフック状部材１４を備えている。フック状部材１４の取り付け個所としては、ケーブルの自重による過重な引張力がプラグに生じないように、ケーブルのプラグに近接した任意の個所が選定される。
【００１９】
図４は、フック状部材１４を示した拡大図である。フック状部材１４は、フック１４ａと、フック１４ａをケーブルに取り付けるための取付片１４ｂとを有している。側面が長手方向に割れたスリーブ管を取付片１４ｂとして準備し、ケーブルに装着された取付片１４ｂに、フック１４ａとなるＪ形金具の端部を挿入し、ケーブルの所定個所において取付片１４ｂを圧着することによって、フック状部材１４を形成してもよい（図４（ａ）参照）。或いは、フック状部材１４として、フック１４ａとなるＪ形部分を有する合成樹脂製の結束バンド（例えば、登録商標「インシュロック」など）を用いてもよい（図４（ｂ）参照）。
【００２０】
コンセント差込プラグ抜け防止器具１０は、コンセントボックスに取り付けられたリング状部材１２に、ケーブルの所定個所に取り付けられたフック状部材１４を引っ掛けることによって使用される。
【００２１】
図５は、２本のケーブルに対応したコンセント差込プラグ抜け防止器具１０を示した図である。各ケーブルの所定個所にそれぞれフック状部材１４を取り付け、各フック状部材１４をリング状部材１２に引っ掛けることにより、２本のケーブルにも対応することができる。
【００２２】
次に、本発明の第２の実施の形態に係るコンセント差込プラグ抜け防止器具について説明する。図６は、本発明の第２の実施の形態に係るコンセント差込プラグ抜け防止器具の全体を示した斜視図、図７は、図６のコンセント差込プラグ抜け防止器具の各構成要素を分解して示した斜視図である。
【００２３】
図６において全体として参照符号２０で示される第２の実施の形態に係るコンセント差込プラグ抜け防止器具は、コンセントボックスのプレート（化粧板）取付孔にビスで取り付けられたフック状部材２２を備えている。
【００２４】
フック状部材２２は、フック２２ａと、ビス用の孔２２ｂ１が設けられた取付片２２ｂとを有している。図８（ａ）、（ｂ）は、フック状部材２２の一例を示した拡大図である。図８（ａ）に示されるフック状部材２２は、取付片２２ｂとしてビス用孔２２ｂ１付きの円筒体を準備し、ワイヤ製のフック２２ａの一端を円筒体に挿入して圧着することによって形成されている。図８（ｂ）に示されるフック状部材２２では、円筒体に挿入されるフック２２ａの一端が脱落防止のため折り曲げられている。
【００２５】
コンセント差込プラグ抜け防止器具２０はまた、ケーブルの所定個所に取り付けられたリング状部材２４を備えている。リング状部材２４の取り付け個所としては、ケーブルの自重による過重な引張力がプラグに生じないように、ケーブルのプラグに近接した任意の個所が選定される。
【００２６】
図８（ｃ）は、リング状部材２４の一例を示した拡大図である。リング状部材２４は、リング２４ａと、リング２４ａをケーブルに取り付けるための取付片２４ｂとを有している。図８（ｃ）に示される例では、側面が長手方向に割れたスリーブ管を取付片２４ｂとして準備し、ケーブルに装着された取付片２４ｂにリング２４ａを取り付けることによって、リング状部材２４が形成されている。
【００２７】
コンセント差込プラグ抜け防止器具２０は、コンセントボックスに取り付けられたフック状部材２２に、ケーブルの所定個所に取り付けられたリング状部材２４を引っ掛けることによって使用される。
【００２８】
本発明は、以上の発明の実施の形態に限定されることなく、特許請求の範囲に記載された発明の範囲内で、種々の変更が可能であり、それらも本発明の範囲内に包含されるものであることはいうまでもない。
【００２９】
例えば、前記実施の形態において示されたリング状部材およびフック状部材の形状や寸法は単なる例示的なものにすぎず、本発明の所要の効果を奏するものであれば、他の適当な形状などを採用してもよい。
【図面の簡単な説明】
【００３０】
【図１】本発明の第１の実施の形態に係るコンセント差込プラグ抜け防止器具の全体を示した斜視図である。
【図２】図１のコンセント差込プラグ抜け防止器具の各構成要素を分解して示した斜視図である。
【図３】リング状部材を示した拡大図である。
【図４】フック状部材を示した拡大図である。
【図５】２本のケーブルに対応したコンセント差込プラグ抜け防止器具を示した斜視図である。
【図６】本発明の第２の実施の形態に係るコンセント差込プラグ抜け防止器具の全体を示した斜視図である。
【図７】図６のコンセント差込プラグ抜け防止器具の各構成要素を分解して示した斜視図である。
【図８】フック状部材およびリング状部材を示した拡大図である。
【図９】ケーブルの自重によってプラグがコンセントから外れかかっている状態を示した図である。
【符号の説明】
【００３１】
１０  第１の実施の形態に係るコンセント差込プラグ抜け防止器具
１２  リング状部材
１２ａ  リング
１２ｂ  取付片
１２ｂ１  ビス用孔
１４  フック状部材
１４ａ  フック
１４ｂ  取付片
２０  第２の実施の形態に係るコンセント差込プラグ抜け防止器具
２２  フック状部材
２２ａ  フック
２２ｂ  取付片
２２ｂ１  ビス用孔
２４  リング状部材
２４ａ  リング
２４ｂ  取付片
【図１】
2012169206.tif 000003
【図２】
2012169206.tif 000004
【図３】
2012169206.tif 000005
【図４】
2012169206.tif 000006
【図５】
2012169206.tif 000007
【図６】
2012169206.tif 000008
【図７】
2012169206.tif 000009
【図８】
2012169206.tif 000010
【図９】
2012169206.tif 000011